(57)【要約】【課題】接触信頼性を低下させずにコネクタを低背化できるようにする。【解決手段】接触部５１を支持する第１ばね部５３１と、接続部５２を支持する第２ばね部５３２と、第１ばね部５３１及び第２ばね部５３２を連結する連結部５３３とを備えるコンタクト５０を有するコネクタにおいて、接触部５１を通り接続方向Ｃと平行な仮想直線Ｉ上に第１ばね部５３１と第２ばね部５３２とを並べ、連結部５３３を仮想直線Ｉから直交方向へ離した。【選択図】図５
2015076207.tif 000002
【特許請求の範囲】
【請求項１】
コンタクト収容空間を有するハウジングと、前記コンタクト収容空間に収容されたコンタクトとを備え、
第１接続対象物と第２接続対象物とを電気的に接続するコネクタにおいて、
前記コンタクトは、前記第１接続対象物に接触する接触部と、前記第２接続対象物に接続される接続部と、前記接触部と前記接続部とを連結する弾性変形部とを備え、
前記弾性変形部は、
前記接触部に連結される第１ばね部と、
前記接続部に連結される第２ばね部と、
前記第１ばね部と前記第２ばね部とを連結する連結部とを有し、
前記第１接続対象物と前記第２接続対象物とを接続する際、前記第１接続対象物によって前記接触部が押圧されて、前記接触部と前記第１接続対象物とが接触する方向を接続方向とするとき、
前記第１ばね部は、
前記接触部を支持し、前記接触部から前記接続方向と交差する交差方向へ延びる第１支持アーム部と、
前記第１支持アーム部に連結される円弧状の第１曲げ部と、
前記第１曲げ部に連結され、前記第１支持アーム部と反対方向へ延びる第１中継アーム部とを有し、
前記第１ばね部と前記第２ばね部とは、前記接触部を通る前記接続方向と平行な仮想直線上に配置され、
前記連結部は前記仮想直線から前記接続方向と直交する直交方向へずれている
ことを特徴とするコネクタ。
【請求項２】
前記第１接続対象物と前記第２接続対象物とを接続する際、前記連結部が前記接続方向へ移動可能である
ことを特徴とする請求項１記載のコネクタ。
【請求項３】
前記第２ばね部は、
前記接続部を支持し、前記接続部から前記交差方向へ延びる第２支持アーム部と、
前記第２支持アーム部に連結される円弧状の第２曲げ部と、
前記第２曲げ部に連結され、前記第２支持アーム部と反対方向へ延びる第２中継アーム部とを有し、
前記連結部は、
前記第１中継アーム部に連結される円弧状の第３曲げ部と、
前記第３曲げ部に連結され、前記接続方向に沿って延びる第１連結部側アーム部と、
前記第１連結部側アーム部に連結される円弧状の第４曲げ部と、
前記第２中継アーム部に連結される円弧状の第５曲げ部と、
前記第５曲げ部に連結され、前記第１連結部側アーム部と反対方向へ延びる第２連結部側アーム部と、
前記第２連結部側アーム部に連結される円弧状の第６曲げ部と、
前記第４曲げ部と前記第６曲げ部とを連結する直線アーム部とを有し、
前記第１曲げ部、前記第２曲げ部、前記第４曲げ部、前記第６曲げ部が、前記仮想直線から前記直交方向へ同じ距離だけ離れている
ことを特徴とする請求項１又は２記載のコネクタ。
【請求項４】
前記第２ばね部は、
前記接続部を支持し、前記接続部から前記交差方向へ延びる第２支持アーム部と、
前記第２支持アーム部に連結される円弧状の第２曲げ部と、
前記第２曲げ部に連結され、前記第２支持アーム部と反対方向へ延びる第２中継アーム部とを有し、
前記連結部は、
前記第１中継アーム部に連結される円弧状の第３曲げ部と、
前記第２中継アーム部に連結される円弧状の第４曲げ部と、
前記第３曲げ部と前記第４曲げ部とを連結する円弧状の第５曲げ部とを有し、
前記第１曲げ部、前記第２曲げ部、前記第５曲げ部が、前記仮想直線から前記直交方向へ同じ距離だけ離れている
ことを特徴とする請求項１又は２記載のコネクタ。
【請求項５】
前記第２ばね部は、
前記接続部を支持し、前記接続部から前記交差方向へ延びる第２支持アーム部と、
前記接続部に連結され、前記第２支持アーム部と反対方向へ延びる第２中継アーム部とを有し、
前記連結部は、
前記第２中継アーム部に連結される円弧状の第２曲げ部と、
前記第１中継アーム部に連結される円弧状の第３曲げ部と、
前記第３曲げ部に連結され、前記接続方向に沿って延びる連結部側アーム部と、
前記連結部側アーム部に連結される円弧状の第４曲げ部と、
前記第２曲げ部と前記第４曲げ部とを連結する直線アーム部とを有し、
前記第１曲げ部、前記第２曲げ部、前記第４曲げ部が、前記仮想直線から前記直交方向へ同じ距離だけ離れている
ことを特徴とする請求項１又は２記載のコネクタ。
【請求項６】
前記第２ばね部は、
前記接続部を支持し、前記接続部から前記接続方向に沿って延びる第２支持アーム部と、
前記第２支持アーム部に連結される円弧状の第２曲げ部と、
前記第２曲げ部に連結され、前記第２支持アーム部と反対方向へ延びる第２中継アーム部と、
前記第２中継アーム部に連結される円弧状の第３曲げ部と、
前記第３曲げ部に連結され、前記交差方向へ延びる第３中継アーム部とを有し、
前記連結部は、
前記第３中継アーム部に連結される円弧状の第４曲げ部と、
前記第１中継アーム部に連結される円弧状の第５曲げ部と、
前記第５曲げ部に連結され、前記接続方向に沿って延びる連結部側アーム部と、
前記連結部側アーム部に連結される円弧状の第６曲げ部と、
前記第４曲げ部と前記第６曲げ部とを連結する直線アーム部とを有し、
前記第２曲げ部、前記第６曲げ部が、前記仮想直線から前記直交方向へ同じ距離だけ離れている
ことを特徴とする請求項１又は２記載のコネクタ。
【請求項７】
前記接触部の先端部が前記ハウジングに形成されたガイド孔から外部へ突出し、前記ガイド孔は前記接触部を前記接続方向へガイドする
ことを特徴とする請求項１〜６のいずれか１項に記載のコネクタ。
【請求項８】
前記接触部が円筒状であり、前記接触部の先端部が球面状であることを特徴とする請求項７記載のコネクタ。
【請求項９】
前記接触部がＵ字形に折り曲げられた形状であり、前記接触部の先端部が前記Ｕ字形の底部であることを特徴とする請求項７記載のコネクタ。
【請求項１０】
前記接触部が平板状であることを特徴とする請求項７記載のコネクタ。
【請求項１１】
前記接続部が前記第２接続対象物に接触して電気的に接続されることを特徴とする請求項１〜１０のいずれか１項に記載のコネクタ。
【請求項１２】
前記接続部が前記第２接続対象物に半田付けされて電気的に接続されることを特徴とする請求項１〜１０のいずれか１項に記載のコネクタ。
【請求項１３】
前記コンタクト収容空間が前記直交方向に対して斜め方向へ延びていることを特徴とする請求項１〜１２のいずれか１項に記載のコネクタ。
【発明の詳細な説明】
【技術分野】
【０００１】
この発明はコネクタに関する。
【背景技術】
【０００２】
従来、対向する２つのプリント基板９６１，９６２（図１５参照）間に配置されて、その２つのプリント基板９６１，９６２を電気的に接続するコネクタが知られている(下記特許文献１参照)。このコネクタを図１３〜図１５に基づいて説明する。
【０００３】
このコネクタは、インシュレータ９５０と、インシュレータ９５０に保持されるばね構造の複数のコンタクト９０１とを備えている。
【０００４】
インシュレータ９５０にはコンタクト９０１を移動可能に収容するための複数のコンタクト収容空間９５２が形成されている。コンタクト収容空間９５２はプリント基板９６１，９６２を接続する方向（接続対象物接続方向）Ｄへ貫通している。インシュレータ９５０にはコンタクト収容空間９５２を貫くコンタクト規制部９５３が形成されている。コンタクト規制部９５３はコンタクト９０１の移動量を規制する部分である。
【０００５】
コンタクト９０１は金属板材をプレス加工によってほぼＷ字形状に成形したものである。すなわち、コンタクト９０１の両端部を円弧状に曲げてプリント基板９６１，９６２の接触パッド（図示せず）に接触可能な接触部９０２，９０３を形成する。コンタクト９０１の中間部を湾曲させてコンタクト規制部９５３のほぼ全周を包囲可能な保持部９０４を形成する。保持部９０４と２つの接触部９０２，９０３との間には接続方向Ｄへ弾性変形可能なばね部９１０，９１１が位置する。保持部９０４とばね部９１０，９１１との接続部分を円弧状に折り返して、２つの折返部（湾曲する部分）９１０ａ，９１１ａを形成する。折返部９１０ａ，９１１ａ間の隙間９１２の接続方向寸法はコンタクト規制部９５３の接続方向寸法Ｌよりも小さい。２つの接触部９０２，９０３は、インシュレータ９５０のコンタクト収容空間９５２から外側へそれぞれ突出する。
【０００６】
図１４、図１５に基いてこのコネクタの使用方法を説明する。このコネクタは予めフレーム９２０の圧入孔９２１に圧入されて使用される。圧入孔９２１の接続方向Ｄの長さはコンタクト収容空間９５２の接続方向Ｄの長さより長い。このコネクタがフレーム９２０の圧入孔９２１に圧入された状態で、コンタクト９０１の接触部９０２，９０３は圧入孔９２１から突出している。
【０００７】
まず、コンタクト９０１の接触部９０３が下側のプリント基板９６２の接触パッド上に来るように位置合わせを行う。次に、この状態でコネクタを接続方向Ｄに沿って下へ降ろす。下側のプリント基板９６２の所定位置にコネクタを配置した後、コンタクト９０１の接触部９０２上に上側のプリント基板９６１の接触パッドが来るように位置合わせを行う。最後に、この状態で上側のプリント基板９６１を接続方向Ｄに沿って降ろす。このときコンタクト９０１の両ばね部９１０，９１１はほぼ均等に撓み、その弾性力によってコンタクト９０１の両接触部９０２，９０３は両プリント基板９６１，９６２の接触パッドにほぼ均等な接触力で押し付けられ、両プリント基板９６１，９６２の接触パッドがコンタクト９０１を介して導通する。
【先行技術文献】
【特許文献】
【０００８】
【特許文献１】特開２００２−３１３４６０号公報（段落００２５〜００２７、００３３〜００４０、図１、図３等）
【発明の概要】
【発明が解決しようとする課題】
【０００９】
図１３に示すように、保持部９０４は、一対の接触部９０２，９０３を結ぶ仮想直線Ｓ（接続方向Ｄに平行な直線）上に位置している。このような構造が採用されているため、このコネクタを用いて両プリント基板９６１，９６２を接続するには、プリント基板９６１，９６２の接触パッドと接触部９０２，９０３との間に所定の接触力が生じるように、コンタクト９０１の両ばね部９１０，９１１が十分撓むだけのスペース（接続時、接触部９０２，９０３が保持部９０４に干渉しないスペース）が、接触部９０２，９０３と保持部９０４の両端部（接続方向Ｄにおける両端部）との間に必要になる。そのスペースを確保するため、このコネクタをフレーム９２０の圧入孔９２１に圧入するようにした。
【００１０】
もし、フレーム９２０を用いないとすれば、所定の接触力を確保するために、コンタクト収容空間９５２の接続方向Ｄの長さを圧入孔９２１の接続方向Ｄの長さと同じにしなければならず、その分コネクタが大型化する。
【００１１】
この発明はこのような事情に鑑みてなされたもので、その課題は、接触信頼性を低下させずにコネクタを低背化できるようにすることである。
【課題を解決するための手段】
【００１２】
上述の課題を解決するため請求項１記載の発明は、コンタクト収容空間を有するハウジングと、前記コンタクト収容空間に収容されたコンタクトとを備え、第１接続対象物と第２接続対象物とを電気的に接続するコネクタにおいて、前記コンタクトは、前記第１接続対象物に接触する接触部と、前記第２接続対象物に接続される接続部と、前記接触部と前記接続部とを連結する弾性変形部とを備え、前記弾性変形部は、前記接触部に連結される第１ばね部と、前記接続部に連結される第２ばね部と、前記第１ばね部と前記第２ばね部とを連結する連結部とを有し、前記第１接続対象物と前記第２接続対象物とを接続する際、前記第１接続対象物によって前記接触部が押圧されて、前記接触部と前記第１接続対象物とが接触する方向を接続方向とするとき、前記第１ばね部は、前記接触部を支持し、前記接触部から前記接続方向と交差する交差方向へ延びる第１支持アーム部と、前記第１支持アーム部に連結される円弧状の第１曲げ部と、前記第１曲げ部に連結され、前記第１支持アーム部と反対方向へ延びる第１中継アーム部とを有し、前記第１ばね部と前記第２ばね部とは、前記接触部を通る前記接続方向と平行な仮想直線上に配置され、前記連結部は前記仮想直線から前記接続方向と直交する直交方向へずれていることを特徴とする。
【００１３】
請求項２記載の発明は、請求項１記載のコネクタにおいて、前記第１接続対象物と前記第２接続対象物とを接続する際、前記連結部が前記接続方向へ移動可能であることを特徴とする。
【００１４】
請求項３記載の発明は、請求項１又は２記載のコネクタにおいて、前記第２ばね部は、前記接続部を支持し、前記接続部から前記交差方向へ延びる第２支持アーム部と、前記第２支持アーム部に連結される円弧状の第２曲げ部と、前記第２曲げ部に連結され、前記第２支持アーム部と反対方向へ延びる第２中継アーム部とを有し、前記連結部は、前記第１中継アーム部に連結される円弧状の第３曲げ部と、前記第３曲げ部に連結され、前記接続方向に沿って延びる第１連結部側アーム部と、前記第１連結部側アーム部に連結される円弧状の第４曲げ部と、前記第２中継アーム部に連結される円弧状の第５曲げ部と、前記第５曲げ部に連結され、前記第１連結部側アーム部と反対方向へ延びる第２連結部側アーム部と、前記第２連結部側アーム部に連結される円弧状の第６曲げ部と、前記第４曲げ部と前記第６曲げ部とを連結する直線アーム部とを有し、前記第１曲げ部、前記第２曲げ部、前記第４曲げ部、前記第６曲げ部が、前記仮想直線から前記直交方向へ同じ距離だけ離れていることを特徴とする。
【００１５】
請求項４記載の発明は、請求項１又は２記載のコネクタにおいて、前記第２ばね部は、前記接続部を支持し、前記接続部から前記交差方向へ延びる第２支持アーム部と、前記第２支持アーム部に連結される円弧状の第２曲げ部と、前記第２曲げ部に連結され、前記第２支持アーム部と反対方向へ延びる第２中継アーム部とを有し、前記連結部は、前記第１中継アーム部に連結される円弧状の第３曲げ部と、前記第２中継アーム部に連結される円弧状の第４曲げ部と、前記第３曲げ部と前記第４曲げ部とを連結する円弧状の第５曲げ部とを有し、前記第１曲げ部、前記第２曲げ部、前記第５曲げ部が、前記仮想直線から前記直交方向へ同じ距離だけ離れていることを特徴とする。
【００１６】
請求項５記載の発明は、請求項１又は２記載のコネクタにおいて、前記第２ばね部は、前記接続部を支持し、前記接続部から前記交差方向へ延びる第２支持アーム部と、前記接続部に連結され、前記第２支持アーム部と反対方向へ延びる第２中継アーム部とを有し、前記連結部は、前記第２中継アーム部に連結される円弧状の第２曲げ部と、前記第１中継アーム部に連結される円弧状の第３曲げ部と、前記第３曲げ部に連結され、前記接続方向に沿って延びる連結部側アーム部と、前記連結部側アーム部に連結される円弧状の第４曲げ部と、前記第２曲げ部と前記第４曲げ部とを連結する直線アーム部とを有し、前記第１曲げ部、前記第２曲げ部、前記第４曲げ部が、前記仮想直線から前記直交方向へ同じ距離だけ離れていることを特徴とする。
【００１７】
請求項６記載の発明は、請求項１又は２記載のコネクタにおいて、前記第２ばね部は、前記接続部を支持し、前記接続部から前記接続方向に沿って延びる第２支持アーム部と、前記第２支持アーム部に連結される円弧状の第２曲げ部と、前記第２曲げ部に連結され、前記第２支持アーム部と反対方向へ延びる第２中継アーム部と、前記第２中継アーム部に連結される円弧状の第３曲げ部と、前記第３曲げ部に連結され、前記交差方向へ延びる第３中継アーム部とを有し、前記連結部は、前記第３中継アーム部に連結される円弧状の第４曲げ部と、前記第１中継アーム部に連結される円弧状の第５曲げ部と、前記第５曲げ部に連結され、前記接続方向に沿って延びる連結部側アーム部と、前記連結部側アーム部に連結される円弧状の第６曲げ部と、前記第４曲げ部と前記第６曲げ部とを連結する直線アーム部とを有し、前記第２曲げ部、前記第６曲げ部が、前記仮想直線から前記直交方向へ同じ距離だけ離れていることを特徴とする。
【００１８】
請求項７記載の発明は、請求項１〜６のいずれか１項に記載のコネクタにおいて、前記接触部の先端部が前記ハウジングに形成されたガイド孔から外部へ突出し、前記ガイド孔は前記接触部を前記接続方向へガイドすることを特徴とする。
【００１９】
請求項８記載の発明は、請求項７記載のコネクタにおいて、前記接触部が円筒状であり、前記接触部の先端部が球面状であることを特徴とする。
【００２０】
請求項９記載の発明は、請求項７記載のコネクタにおいて、前記接触部がＵ字形に折り曲げられた形状であり、前記接触部の先端部が前記Ｕ字形の底部であることを特徴とする。
【００２１】
請求項１０記載の発明は、請求項７記載のコネクタにおいて、前記接触部が平板状であることを特徴とする。
【００２２】
請求項１１記載の発明は、請求項１〜１０のいずれか１項に記載のコネクタにおいて、前記接続部が前記第２接続対象物に接触して電気的に接続されることを特徴とする。
【００２３】
請求項１２記載の発明は、請求項１〜１０のいずれか１項に記載のコネクタにおいて、前記接続部が前記第２接続対象物に半田付けされて電気的に接続されることを特徴とする。
【００２４】
請求項１３記載の発明は、請求項１〜１２のいずれか１項に記載のコネクタにおいて、前記コンタクト収容空間が前記直交方向に対して斜め方向へ延びていることを特徴とする。
【発明の効果】
【００２５】
この発明によれば、接触信頼性を低下させずにコネクタを低背化できる。
【図面の簡単な説明】
【００２６】
【図１】この発明の第１実施形態に係るコネクタをプリント基板に接続する前の状態を示す斜視図である。
【図２】図１に示すコネクタのハウジングを斜め下方から見た斜視図である。
【図３】図１に示すコネクタのコンタクトの斜視図である。
【図４】図１に示すコネクタの一端部をコネクタの長手方向に対して斜めに交差し、コンタクト収容空間を通る面に沿って切断した状態を示す斜視図である。
【図５】図４に示すコネクタの断面に正対したときの断面図である。
【図６】図５に示すコネクタを第１プリント基板と第２プリント基板とで挟んだ状態を示す断面図である。なお、コンタクトは断面で示されていない。
【図７】図１に示すコネクタの第１変形例の断面図で図４に相当する斜視図である。
【図８】図１に示すコネクタの第２変形例の断面図で図４に相当する斜視図である。
【図９】この発明の第２実施形態に係るコネクタの断面図である。
【図１０】この発明の第３実施形態に係るコネクタの断面図である。
【図１１】この発明の第４実施形態に係るコネクタの断面図である。
【図１２】図１１に示す第４実施形態に係るコネクタの変形例の斜視図である。
【図１３】従来のコネクタの断面図である。
【図１４】図１３のコネクタの使用状態を示し、コネクタを下側のプリント基板上に配置した状態を示す断面図である。
【図１５】図１３のコネクタの使用状態を示し、コネクタによって上側のプリント基板と下側のプリント基板とが接続された状態を示す断面図である。
【発明を実施するための形態】
【００２７】
以下、この発明の実施の形態を図面に基づいて説明する。
【００２８】
図１に示すように、第１実施形態のコネクタ１０はハウジング３０とコンタクト５０とを備えている。図６に示すように、コネクタ１０は第１プリント基板（第１接続対象物）７０と第２プリント基板（第２接続対象物）８０とで挟まれることによって第１プリント基板７０と第２プリント基板８０とを電気的に接続する。なお、第１プリント基板７０によってコンタクト５０の接触部５１が押圧されて、第１プリント基板７０と接触部５１とが接触する方向を接続方向Ｃとする。
【００２９】
図１、図２、図４に示すように、ハウジング３０はほぼ直方体状である。ハウジング３０には複数のコンタクト収容空間３１がハウジング３０の長手方向Ｌへ等間隔に形成されている。コンタクト収容空間３１にはコンタクト５０が収容される。第１プリント基板７０の接続方向Ｃと直交する方向でハウジング３０を切断したときのコンタクト収容空間３１の横断面形状はほぼ長方形である。コンタクト収容空間３１の横断面形状の長手方向Ｌ３１はハウジング３０の長手方向Ｌに対して斜めに交差する（図２参照）。複数のコンタクト収容空間３１の横断面形状の長手方向Ｌ３１は互いに平行である。コンタクト収容空間３１はハウジング３０の下面３０Ｂに達し、その部分に開口３３が形成されている。
【００３０】
ハウジング３０の上面３０Ａには複数のガイド孔３２がハウジング３０の長手方向Ｌへ等間隔に形成されている。ガイド孔３２は円形の孔であり、コンタクト収容空間３１に通じている。
【００３１】
また、コンタクト収容空間３１は１対の凹部３１Ａを有する。凹部３１Ａはハウジング３０が後述する接触部５１と接続部５２とに接触するのを避けている。
【００３２】
更に、ハウジング３０の下面３０Ｂの対角線上にある２つの角部には脚部３６が形成されている。脚部３６には接続方向Ｃへ延びる位置決めピン３７が形成されている。
【００３３】
また、ハウジング３０の下部にはストッパ３４が形成されている（図４参照）。ストッパ３４はコンタクト収容空間３１内に突出している。
【００３４】
図３に示すように、コンタクト５０は接触部５１と接続部５２と弾性変形部５３とを有している。コンタクト５０は、プレス装置により、金属板（図示せず）に打抜き加工、曲げ加工、絞り加工することによって形成されている。
【００３５】
図４に示すように、接触部５１は円筒状であり、その円筒の一端は球面状に形成されている。接触部５１はガイド孔３２に通され、ハウジング３０の上面３０Ａから外部へ突出している。接触部５１はガイド孔３２によって接続方向Ｃへ案内される。接触部５１はコネクタ１０が第１プリント基板７０と第２プリント基板８０とで挟まれたとき、第１プリント基板７０のパッド７１に接触する（図６参照）。
【００３６】
接続部５２はほぼ半球状であり、開口３３を通じてハウジング３０の下面３０Ｂから突出している（図５参照）。接続部５２はコネクタ１０が第１プリント基板７０と第２プリント基板８０とで挟まれたとき、第２プリント基板８０のパッド８１に接触する（図６参照）。
【００３７】
弾性変形部５３は接触部５１と接続部５２を連結する。弾性変形部５３はコネクタ１０が第１プリント基板７０と第２プリント基板８０とで挟まれたとき、図６に示すように、弾性変形して圧縮される。
【００３８】
図３〜図５に示すように、弾性変形部５３はほぼＪ字形の第１ばね部５３１とほぼＪ字形の第２ばね部５３２とほぼＣ字形の連結部５３３とで構成されている。
【００３９】
第１ばね部５３１は第１支持アーム部５３１Ａと第１曲げ部５３１Ｂと第１中継アーム部５３１Ｃとを有する。第１支持アーム部５３１Ａの一端部は接触部５１に連結されており、接続方向Ｃと直交する直交方向Ａ（コンタクト収容空間３１の横断面形状の長手方向Ｌ３１に同じ）に沿って延びている。なお、第１支持アーム部５３１Ａは接続方向Ｃと交差する交差方向（図５において接触部５１から斜め下方向、図示せず）に延びてもよい。第１曲げ部５３１Ｂは第１支持アーム部５３１Ａの他端部から仮想直線（接触部５１を通り接続方向Ｃと平行な仮想直線）Ｉに向かって折り返された円弧状の部分である。第１中継アーム部５３１Ｃの一端部は第１曲げ部５３１Ｂに連結されている。第１中継アーム部５３１Ｃは仮想直線Ｉと斜めに交差するように延びている。
【００４０】
第２ばね部５３２は第２支持アーム部５３２Ａと第２曲げ部５３２Ｂと第２中継アーム部５３２Ｃとを有する。第２支持アーム部５３２Ａの一端部は接続部５２に連結されており、直交方向Ａに沿って延びている。なお、第２支持アーム部５３２Ａは接続方向Ｃと交差する交差方向（図５において接続部５２から斜め上方向、図示せず）に延びてもよい。第２曲げ部５３２Ｂは第２支持アーム部５３２Ａの他端部から仮想直線Ｉに向かって折り返された円弧状の部分である。第２中継アーム部５３２Ｃの一端部は第２曲げ部５３２Ｂに連結されている。第２中継アーム部５３２Ｃは仮想直線Ｉと斜めに交差するように延びている。接続方向Ｃにおける第１中継アーム部５３１Ｃと第２中継アーム部５３２Ｃとの間隔は、連結部５３３から離れるほど大きくなる。
【００４１】
連結部５３３は、第３曲げ部５３３Ａと第１連結部側アーム部５３３Ｂと第４曲げ部５３３Ｃと第５曲げ部５３３Ｄと第２連結部側アーム部５３３Ｅと第６曲げ部５３３Ｆと直線アーム部５３３Ｇとを有する。第３曲げ部５３３Ａは第１中継アーム部５３１Ｃの他端部から接触部５１の方へ向かって折り曲げられた円弧状の部分である。第１連結部側アーム部５３３Ｂの一端部は第３曲げ部５３３Ａに連結されている。第１連結部側アーム部５３３Ｂは接続方向Ｃに対してやや斜めの方向へ延びている。第４曲げ部５３３Ｃは第１連結部側アーム部５３３Ｂの他端部から接続部５２の方へ向かって折り返された円弧状の部分である。第５曲げ部５３３Ｄは第２中継アーム部５３２Ｃの他端部から接続部５２の方へ向かって折り曲げられた円弧状の部分である。第２連結部側アーム部５３３Ｅの一端部は第５曲げ部５３３Ｄに連結されている。第２連結部側アーム部５３３Ｅは接続方向Ｃに対してやや斜めの方向へ延びている。第６曲げ部５３３Ｆは第２連結部側アーム部５３３Ｅの他端部から接触部５１の方へ向かって折り返された円弧状の部分である。直線アーム部５３３Ｇは第４曲げ部５３３Ｃと第６曲げ部５３３Ｆとを連結する。直線アーム部５３３Ｇは接続方向Ｃに沿って延びている。なお、第１連結部側アーム部５３３Ｂと第２連結部側アーム部５３３Ｅの一方または両方は直線アーム部５３３Ｇと同様に接続方向Ｃと平行な方向に沿って延びてもよい。
【００４２】
図３のコンタクト５０を上方又は下方から見たときのコンタクト５０の平面形状（図示せず）はほぼ長方形である。
【００４３】
図３に示すように、接触部５１と第１ばね部５３１と第２ばね部５３２と接続部５２とは仮想直線Ｉ上に並んでいるが、連結部５３３は仮想直線Ｉから直交方向Ａへ離れており、連結部５３３は仮想直線Ｉ上に無い。
【００４４】
第１曲げ部５３１Ｂ、第２曲げ部５３２Ｂ、第４曲げ部５３３Ｃ及び第６曲げ部５３３Ｆはそれぞれ仮想直線Ｉから直交方向Ａへ同じ距離（同じ距離とは、ほぼ同じ距離であると言うことを示し同一でなくてもよい、以下同じ）だけ離れている。
【００４５】
コンタクト５０をハウジング３０のコンタクト収容空間３１に収容するには、開口３３からコンタクト５０をコンタクト収容空間３１に挿入する。このとき、第２曲げ部５３２Ｂがストッパ３４につかえるが、連結部５３３をコンタクト収容空間３１内に押し込めば、第２中継アーム部５３２Ｃが撓み、第２曲げ部５３２Ｂがストッパ３４を乗り越える。その結果、コンタクト５０のコンタクト収容空間３１からの脱落が防止される。
【００４６】
コネクタ１０を用いて第１プリント基板７０と第２プリント基板８０とを接続するには、まず、図１に示すように、第２プリント基板８０にコネクタ１０を実装する。このとき、コネクタ１０のハウジング３０の位置決めピン３７を第２プリント基板８０の位置決め孔８２に挿入する。
【００４７】
次に、コネクタ１０の上方に第１プリント基板７０を配置し、図６に示すように、下方へ下ろす。接触部５１が第１プリント基板７０によって押されると、コンタクト５０の弾性変形部５３が圧縮され、連結部５３３が下方へ移動するとともに、接触部５１がコンタクト収容空間３１内に引っ込む。このときコンタクト５０の弾性変形部５３の復帰力により、接触部５１が第１プリント基板７０のパッド７１に強く接触し、接続部５２が第２プリント基板８０のパッド８１に強く接触する。その結果、コネクタ１０により第１プリント基板７０と第２プリント基板８０とが電気的に接続される。
【００４８】
この実施形態によれば、連結部５３３が仮想直線Ｉから直交方向Ａへ離れており、仮想直線Ｉ上において第１ばね部５３１と第２ばね部５３２との間に連結部５３３が無いので、上述の従来のコネクタに比べて、コネクタ１０を低背化できる。
【００４９】
また、第１曲げ部５３１Ｂ、第２曲げ部５３２Ｂ、第４曲げ部５３３Ｃ及び第６曲げ部５３３Ｆが仮想直線Ｉから直交方向Ａへ同じ距離に位置しているので、接触部５１が第１プリント基板７０によって押し下げられるとき、接続方向Ｃと直交する直交方向Ａへ接触部５１はほとんど動かない。したがって、接触部５１が直交方向Ａへ動く構造のコネクタ（図示せず）に比べ、第１プリント基板７０のパッド７１を直交方向Ａへ大きくする必要がないので、パッド７１が狭ピッチ化されたプリント基板同士の電気的接続に対応できる。コネクタ１０の小型化を容易に行える。
【００５０】
更に、接触部５１が直交方向Ａへほとんど動かないので、ハウジング３０に接触部５１の外径よりわずかに大きなガイド孔３２を設けることができる。その結果、ハウジング３０内への塵埃の侵入を抑制することができるとともに、コネクタ１０の外観の美しさを高めることができる。
【００５１】
また、コンタクト５０を上方又は下方から見たときのコンタクト５０の平面形状の長手方向は、ハウジング３０の長手方向Ｌに対して傾斜しているので、コンタクト５０の接触安定性を高めるためにコンタクト５０の弾性変形部５３の長さを長くして弾性変形部５３を柔らかくしても、図２に示すように、ハウジング３０の長手方向Ｌの長さを短くでき、コネクタ１０が大型化するのを抑制することができる。また、長手方向Ｌと直交するハウジングの幅も小さくすることができる。
【００５２】
次に、第１実施形態の第１変形例を図７を用いて説明する。
【００５３】
図７に示すように、第１変形例のコネクタ２１０では、コンタクト２５０の接触部２５１は金属板をＵ字形に折り曲げて形成され、Ｕ字形の底部をガイド孔２３２から突出させている。ハウジング２３０のガイド孔２３２は矩形の孔である。また、ハウジング２３０の下部に凹部２３１Ａを形成し、接続部５２が押圧されて上方に移動し第２ばね部５３２との接触を回避するようにした。
【００５４】
第１変形例のコネクタ２１０によれば、第１実施形態のコネクタ１０と同様の作用効果を奏するとともに、接触部２５１の形状が単純であり、コンタクト２５０を作り易い。
【００５５】
次に、第１実施形態の第２変形例を図８を用いて説明する。
【００５６】
図８に示すように、第２変形例のコネクタ３１０では、コンタクト３５０の接触部３５１は平板状であり、接続部３５２は鉤形に折り曲げられている。接続部３５２にはスリット３５２Ａが形成され、接続部３５２は二股状になっている。ハウジング３３０のガイド孔３３２は矩形の孔である。また、ハウジング２３０の下部に凹部３３１Ａを形成し、接続部３５２が押圧されて上方に移動し第２ばね部５３２との接触を回避するようにした。
【００５７】
第２変形例のコネクタ３１０によれば、第１実施形態のコネクタ１０と同様の作用効果を奏するとともに接触部３５１と接続部３５２との形状が単純であり、コンタクト３５０を作り易い。
【００５８】
次に、第２実施形態を図９を用いて説明する。
【００５９】
図９に示すように、第２実施形態のコネクタ４１０は、後述するようにコンタクト４５０の弾性変形部４５３の連結部４５３３の構成の点で、第１実施形態のコネクタ１０と異なる。
【００６０】
連結部４５３３は第３曲げ部５３３Ａと第４曲げ部４５３３Ｄと第５曲げ部４５３３Ｃとを有する。円弧状の第３曲げ部５３３Ａは第１中継アーム部５３１Ｃの他端部に連結されている。円弧状の第４曲げ部４５３３Ｄは第２中継アーム部５３２Ｃの他端部に連結されている。第５曲げ部４５３３ＣはＣ形状であり、第３曲げ部５３３Ａと第４曲げ部４５３３Ｄとを連結している。
【００６１】
第２実施形態のコネクタ４１０によれば、第１実施形態のコネクタ１０と同様の作用効果を奏する。
【００６２】
次に、第３実施形態を図１０を用いて説明する。
【００６３】
図１０に示すように、第３実施形態のコネクタ５１０は、コンタクト５５０の弾性変形部５５３の第２ばね部５５３２と連結部５５３３の構成の点で、第１実施形態のコネクタ１０と異なる。
【００６４】
第２ばね部５５３２は第２支持アーム部５５３２Ａと第２中継アーム部５５３２Ｃとを有する。第２支持アーム部５５３２Ａは接続部５２を支持しており、接続部５２の一端部からストッパ３４に向かって延びている。第２支持アーム部５５３２Ａはクランク状に形成され、ストッパ３４に引っ掛かる。第２中継アーム部５５３２Ｃは接続部５２の他端部から連結部５５３３に向かって、直交方向Ａに沿うように延びている。なお、第２中継アーム部５５３２Ｃは接続方向Ｃと交差する交差方向（図１０において接続部５２から斜め上方向、図示せず）に延びてもよい。第２中継アーム部５５３２Ｃは接続方向Ｃにおいて、弾性変形可能である。
【００６５】
連結部５５３３は第２曲げ部５５３３Ａと第３曲げ部５５３３Ｂと連結部側アーム部５５３３Ｃと第４曲げ部５５３３Ｄと直線アーム部５５３３Ｅとを有する。第３曲げ部５５３３Ｂは第１中継アーム部５３１Ｃの他端部から接触部５１の方へ向かって折り曲げられた円弧状の部分である。連結部側アーム部５５３３Ｃの一端部は第３曲げ部５５３３Ｂに連結されている。連結部５５３３は接続方向Ｃへ移動可能にコンタクト収容空間３１に収容されている。第４曲げ部５５３３Ｄは連結部側アーム部５５３３Ｃの他端部からハウジング３０の下部へ向かって折り返されている。直線アーム部５５３３Ｅの一端部は第２曲げ部５５３３Ａに連結され、直線アーム部５５３３Ｅの他端部は第４曲げ部５５３３Ｄに連結されている。直線アーム部５５３３Ｅは接続方向Ｃへ移動可能である。
【００６６】
第３実施形態のコネクタ５１０の場合、コネクタ５１０を第１プリント基板７０と第２プリント基板８０とで挟んだとき、連結部５５３３は他の実施形態のコネクタに比べて接続方向Ｃへの移動量が少ない。
【００６７】
第３実施形態のコネクタ５１０によれば、第１実施形態のコネクタ１０と同様の作用効果を奏するとともに、第２ばね部５５３２の構造が単純であり、コンタクト５５０を作り易い。
【００６８】
次に、第４実施形態を図１１を用いて説明する。
【００６９】
図１１に示すように、第４実施形態のコネクタ６１０は、接続部６５２とコンタクト６５０の弾性変形部６５３の第２ばね部６５３２と連結部６５３３の構成の点で、第１実施形態のコネクタ１０と異なる。
【００７０】
接続部６５２は平板状であり、第２プリント基板８０のパッド８１にはんだ付けされる。接続部６５２は開口３３から外部に出ており、ハウジング３０の下面３０Ｂに対向している。
【００７１】
第２ばね部６５３２は第２支持アーム部６５３２Ａと第２曲げ部６５３２Ｂと第２中継アーム部６５３２Ｃと第３曲げ部６５３２Ｄと第３中継アーム部６５３２Ｅとを有する。第２支持アーム部６５３２Ａの一端部は接続部６５２に連結されている。第２支持アーム部６５３２Ａは接続方向Ｃに沿って延びている。第２支持アーム部６５３２Ａはハウジング３０に固定されている。第２曲げ部６５３２Ｂは第２支持アーム部６５３２Ａの他端部からハウジング３０の下面３０Ｂへ向かって折り返されている。第２中継アーム部６５３２Ｃの一端部は第２曲げ部６５３２Ｂに連結されている。第２中継アーム部６５３２Ｃは接続方向Ｃに沿って延びている。第２支持アーム部６５３２Ａはハウジング３０に固定されている。第３曲げ部６５３２Ｄは第２中継アーム部６５３２Ｃの他端部から接触部５１の方へ向かって折り曲げられている。第３中継アーム部６５３２Ｅの一端部は第３曲げ部６５３２Ｄに連結されている。第３中継アーム部６５３２Ｅは仮想直線Ｉに対して斜めに交差するように延び、第３中継アーム部６５３２Ｅの他端部は接続方向Ｃで第３曲げ部６５３２Ｄよりも下面３０Ｂから離れている。
【００７２】
連結部６５３３は第４曲げ部６５３３Ａと第５曲げ部６５３３Ｂと連結部側アーム部６５３３Ｃと第６曲げ部６５３３Ｄと直線アーム部６５３３Ｅとを有する。第４曲げ部６５３３Ａは第３中継アーム部６５３２Ｅの他端部から接触部５１の方へ向かって折り曲げられている。第５曲げ部６５３３Ｂは第１中継アーム部５３１Ｃの他端部から接触部５１の方へ向かって折り曲げられている。連結部側アーム部６５３３Ｃの一端部は第５曲げ部６５３３Ｂに連結されている。連結部側アーム部６５３３Ｃは接続方向Ｃに対して斜めの方向に沿って延びている。なお、連結部側アーム部６５３３Ｃは接続方向Ｃと平行な方向に沿って延びてもよい。連結部側アーム部６５３３Ｃの他端部は第５曲げ部６５３３Ｂよりも仮想直線Ｉから離れている。第６曲げ部６５３３Ｄは連結部側アーム部６５３３Ｃの他端部から下面３０Ｂへ向かって折り返されている。直線アーム部６５３３Ｅの一端部は第４曲げ部６５３３Ａに連結され、直線アーム部６５３３Ｅの他端部は第６曲げ部６５３３Ｄに連結されている。
【００７３】
第２曲げ部６５３２Ｂ、第６曲げ部６５３３Ｄが、それぞれ仮想直線Ｉから直交方向Ａへ同じ距離だけ離れている。
【００７４】
第４実施形態のコネクタ６１０は第１実施形態のコネクタ１０と同様の作用効果を奏する。
【００７５】
第４実施形態の変形例として、図１２に示すように、コンタクト７５０の接続部７５２をハウジング７３０の下面３０Ｂ（図１１参照）から側面７３０Ｃまで延ばしたものがある。コンタクト７５０は接続部７５２を除き第４実施形態のコンタクト６５０と同じであり、ハウジング７３０は脚部３６及び位置決めピン３７が無い点を除き第４実施形態のハウジング３０と同じである。
【００７６】
第４実施形態のコネクタ６１０は、対向する第１プリント基板７０と第２プリント基板８０との電気的接続に用いられる。これに対し、この変形例のコネクタ７１０では、ハウジング７３０の側面７３０Ｃと第２プリント基板８０の実装面とが対向した状態で、コネクタ７１０の接続部７５２を第２プリント基板８０のパッド８１に半田付け実装できる。したがって、この変形例のコネクタ７１０によれば、第２プリント基板８０の実装面に対して第１プリント基板７０の実装面が直角に配置された状態で、第１プリント基板７０と第２プリント基板８０とを電気的に接続することができる。
【００７７】
なお、第４実施形態を除く上述の実施形態では、接続部５２，３５２を第２プリント基板８０のパッド８１に接触して電気的に接続される接触部としたが、接続部５２，３５２を第２プリント基板８０のパッド８１に半田付けする半田付け部としてもよい。また、上述の実施形態では、ガイド孔３２，２３２，３３２によって接触部５１，２５１，３５１を接続方向Ｃへガイドするようにしたが、ガイド孔３２，２３２，３３２にガイド機能をもたせなくてもよい。
【００７８】
なお、上述の実施形態では、ガイド孔３２．２３２，３３２を通じて接触部５１，２５１，３５１をハウジング３０，２３０，３３０の上面３０Ａから突出させるようにしたが、ハウジング３０の下面３０Ｂの開口３３と同様に、上面３０Ａに開口（図示せず）を設けてもよい。
【符号の説明】
【００７９】
１０，２１０，３１０，４１０，５１０，６１０，７１０：コネクタ
３０，２３０，３３０，７３０：ハウジング
３０Ａ：上面
３０Ｂ：下面
７３０Ｃ：側面
３１，２３１，３３１：コンタクト収容空間
３１Ａ，２３１Ａ，３３１Ａ：凹部
３２，２３２，３３２：ガイド孔
３３：開口
３４：ストッパ
３６：脚部
３７：位置決めピン
５０，２５０，３５０，４５０，５５０，６５０，７５０：コンタクト
５１，２５１，３５１：接触部
５２，３５２，６５２，７５２：接続部
３５２Ａ：スリット
５３，４５３，５５３，６５３：弾性変形部
５３１：第１ばね部
５３１Ａ：第１支持アーム部
５３１Ｂ：第１曲げ部
５３１Ｃ：第１中継アーム部
５３２：第２ばね部
５３２Ａ：第２支持アーム部
５３２Ｂ：第２曲げ部
５３２Ｃ：第２中継アーム部
５５３２：第２ばね部
５５３２Ａ：第２支持アーム部
５５３２Ｃ：第２中継アーム部
６５３２：第２ばね部
６５３２Ａ：第２支持アーム部
６５３２Ｂ：第２曲げ部
６５３２Ｃ：第２中継アーム部
６５３２Ｄ：第３曲げ部
６５３２Ｅ：第３中継アーム部
５３３：連結部
５３３Ａ：第３曲げ部
５３３Ｂ：第１連結部側アーム部
５３３Ｃ：第４曲げ部
５３３Ｄ：第５曲げ部
５３３Ｅ：第２連結部側アーム部
５３３Ｆ：第６曲げ部
５３３Ｇ：直線アーム部
４５３３：連結部
４５３３Ｃ：第５曲げ部
４５３３Ｄ：第４曲げ部
５５３３：連結部
５５３３Ａ：第２曲げ部
５５３３Ｂ：第３曲げ部
５５３３Ｃ：連結部側アーム部
５５３３Ｄ：第４曲げ部
５５３３Ｅ：直線アーム部
６５３３：連結部
６５３３Ａ：第４曲げ部
６５３３Ｂ：第５曲げ部
６５３３Ｃ：連結部側アーム部
６５３３Ｄ：第６曲げ部
６５３３Ｅ：直線アーム部
７０：第１プリント基板（第１接続対象物）
７１：パッド
８０：第２プリント基板（第２接続対象物）
８１：パッド
８２：位置決め孔
Ａ：直交方向
Ｃ：接続方向
Ｉ：仮想直線
Ｌ：ハウジング３０の長手方向
Ｌ３１：コンタクト収容空間３１の横断面形状の長手方向
【図１】
2015076207.tif 000003
【図２】
2015076207.tif 000004
【図３】
2015076207.tif 000005
【図４】
2015076207.tif 000006
【図５】
2015076207.tif 000007
【図６】
2015076207.tif 000008
【図７】
2015076207.tif 000009
【図８】
2015076207.tif 000010
【図９】
2015076207.tif 000011
【図１０】
2015076207.tif 000012
【図１１】
2015076207.tif 000013
【図１２】
2015076207.tif 000014
【図１３】
2015076207.tif 000015
【図１４】
2015076207.tif 000016
【図１５】
2015076207.tif 000017